(57)【要約】【課題】  プラテンガラス上に斜めに載置された原稿を、自動で位置基準部材に突き当てる。【解決手段】  原稿をプラテンガラスに背面から押し当てる原稿押圧板を有するプラテンカバー内部に、原稿端部が先端位置決め部材および直交する前後方向位置決め部材の両方に当接するように原稿を移動させる原稿搬送手段を有する。【選択図】  図１
2006349926.tif 000002
【特許請求の範囲】
【請求項１】
原稿を載置するプラテンガラスと、前記プラテンガラス上に載置された原稿の主走査方向の位置決めをおこなう主走査方向突き当て板と、副走査方向の位置決めをおこなう副走査方向突き当て板と、前記プラテンガラス上の原稿を押圧するための原稿押圧板を有するプラテンカバーと、からなる画像読み取り装置において、前記主走査方向位置決め板、および副走査方向位置決め板の両方に原稿端部が当接する方向に原稿を移動させるための原稿搬送手段をプラテンカバーに設けたことを特徴とする画像読み取り装置。
【請求項２】
前記プラテンカバーが前記プラテンガラスと略平行な状態において、前記原稿押圧板はプラテンガラスを加圧する第1の位置と、離間する第2の位置に移動可能であり、かつ前記原稿搬送手段は、前記主走査方向位置決め板、もしくは前記副走査方向位置決め板のどちらか一方に向かって原稿を移動させるための搬送ローラと、前記搬送ローラに対して傾いて配置された斜走ローラから構成され、前記搬送ローラと前記斜走ローラが駆動しているときは、前記原稿押圧板は第2の位置に保持されていることを特徴とする請求項1記載の画像読み取り装置。
【請求項３】
前記搬送ローラ、および前記斜走ローラは、前記プラテンガラスに対して接離可能に設けられたプラテンガラスを押圧する第1の位置と、離間する第2の位置に移動可能であり、前記原稿押圧板が第1の位置にあるとき、前記搬送ローラ、および前記斜走ローラは第2の位置に保持されることを特徴する請求項2記載の画像読み取り装置。
【請求項４】
前記主走査方向位置決め板、および前記副走査方向位置決め板の近傍に原稿の当接、非当接状態を検知するための検知手段を配置し、原稿の前記主走査方向位置決め板、もしくは前記副走査方向位置決め板に突き当たっていない状態を検知した時には、前記搬送ローラを所定時間逆転動作させた後に、再び突き当て動作を繰り返すことを特徴とする請求項2乃至3記載の画像読み取り装置。
【発明の詳細な説明】
【技術分野】
【０００１】
本発明は、複写機、プリンタ、ファクシミリ等の画像形成装置に用いられる画像読み取り装置に関するものであり、詳しくはプラテンガラス上に斜めに載置された原稿の位置を自動で補正することを特徴とする画像読み取り装置に関する。
【背景技術】
【０００２】
従来における画像読み取り装置において、原稿画像を読み込む際、操作者は原稿の読み取り基準をそろえるために、プラテンガラス表面に貼り付けられた先端突き当て部材と奥側突き当て部材の両方に原稿端部が突き当たるように原稿を載置し、読み取りスタートボタンを押下しなければならない。
【０００３】
もし原稿が先端突き当て部材、もしくは奥側突き当て部材から離れて載置された場合は、そのずれた分だけ画像が原本と異なってしまうことになる。
【０００４】
よって操作者は原稿がこれらの突き当て部材に確実に突き当たるよう注意しなければならないが、操作者の中で、例えば車椅子に乗った人の場合などは、背の高い人と異なり目線の位置も低く、そのため突き当たっているかどうかの確認がしにくくなる。
【０００５】
そこで、これらの不具合を改善するために、特開平8-22090公報において、斜め原稿の位置を修正する装置が提案されている。
【０００６】
この公報によると、プラテンカバー内部の原稿押圧板を移動させることにより、原稿を摩擦力により原稿先端位置決め部材に移動させることが提案されている。
【０００７】
ゆえにプラテンガラス上に斜めに置かれた原稿は原稿先端位置決め部材にその一辺を当接し、位置が矯正される。
【特許文献１】特開平8-22090号公報
【発明の開示】
【発明が解決しようとする課題】
【０００８】
しかしながら特開平8-22090公報では、原稿の先端側を位置決め部材に突き当てているものの、奥側はどこにも突き当てられてない。
【０００９】
つまり、画像の先端側は合っているものの、前奥側の位置が読み取り位置基準から外れているため、結局のところ画像が正確に読み取られないという問題があった。
【００１０】
本発明は上記に鑑みてなされたものであり、プラテンガラス上に任意に載置された原稿の位置を先端側にも前奥側にも容易に修正することができるので、操作者は原稿の突き当て基準を考えなくとも原稿画像に忠実な読み取りがおこなえる画像読み取り装置を提供することにある。
【課題を解決するための手段】
【００１１】
前記目的を達成するため、本発明の読み取り装置は、
原稿を載置するプラテンガラスと、前記プラテンガラス上に載置された原稿の主走査方向の位置決めをおこなう主走査方向突き当て板と、副走査方向の位置決めをおこなう副走査方向突き当て板と、前記プラテンガラス上の原稿を押圧するための原稿押圧板を有するプラテンカバーと、からなる画像読み取り装置において、前記主走査方向位置決め板、および副走査方向位置決め板の両方に原稿端部が当接する方向に原稿を移動させるための原稿搬送手段をプラテンカバーに設けたことを特徴とする。
【００１２】
また、前記プラテンカバーが前記プラテンガラスと略平行な状態において、前記原稿押圧板はプラテンガラスを加圧する第1の位置と、離間する第2の位置に移動可能であり、かつ前記原稿搬送手段は、前記主走査方向位置決め板、もしくは前記副走査方向位置決め板のどちらか一方に向かって原稿を移動させるための搬送ローラと、前記搬送ローラに対して傾いて配置された斜走ローラから構成され、前記搬送ローラと前記斜走ローラが駆動しているときは、前記原稿押圧板は第2の位置に保持されていることを特徴とする。
【００１３】
前記搬送ローラ、および前記斜走ローラは、前記プラテンガラスに対して接離可能に設けられたプラテンガラスを押圧する第1の位置と、離間する第2の位置に移動可能であり、前記原稿押圧板が第1の位置にあるとき、前記搬送ローラ、および前記斜走ローラは第2の位置に保持されることを特徴する。
【００１４】
前記主走査方向位置決め板、および前記副走査方向位置決め板の近傍に原稿の当接、非当接状態を検知するための検知手段を配置し、原稿の前記主走査方向位置決め板、もしくは前記副走査方向位置決め板に突き当たっていない状態を検知した時には、前記搬送ローラを所定時間逆転動作させた後に、再び突き当て動作を繰り返すことを特徴とする。
【発明の効果】
【００１５】
以上説明したように、本発明によれば、プラテンガラス上に任意に載置された原稿の位置を先端側にも前奥側にも容易に修正することができるので、操作者は原稿の突き当て基準を考えなくとも原稿画像に忠実な読み取りがおこなえるという効果がある。
【発明を実施するための最良の形態】
【００１６】
（実施例１）
以下、本発明を図面に示した実施例に沿って詳細に説明する。
【００１７】
図1乃至図2において、100は読み取り装置本体であり、読み取り装置本体100の上部にはプラテンカバー200が載置されている。
【００１８】
読み取り装置100の上面には、原稿を静止した状態で読み取る際に使用されるプラテンガラス101が載置されている。
【００１９】
先端位置決め部材102、および奥側位置決め部材103はそれぞれ原稿の突き当て基準であり、プラテンガラス101に対して接着、または両面テープなどにより隙間なくしっかりと固定されている。
【００２０】
プラテンガラス101の下方には図3に示すように読み取りユニット104が図中矢印方向に移動することにより、プラテンガラス101上に載置された原稿の画像を画像データとして取り込む。
【００２１】
ゆえに、プラテンガラス101上で、かつ先端位置決め部材102、奥側位置決め部材103に隙間なく突き当てられた状態で原稿を載置することにより、正確な画像情報が読み取りユニット104により取り込まれることになる。
【００２２】
プラテンカバー200は下記から構成される。
【００２３】
プラテンカバー200はヒンジ201、202を支点に、読み取り装置100に対して回動可能に支持されている。
【００２４】
プラテンンカバー200は読み取り装置100に出没可能に支持されたセンサレバー105と、プラテンカバーのリブ203が係合することにより、読み取り装置100に対する開閉状態が検知できる仕組みとなっている。
【００２５】
204は原稿をプラテンガラス101に押し付けるための原稿押圧板であり、画像の読み取りに影響がないよう、通常は白色をしている。
【００２６】
また、原稿押圧板204は図示しない駆動手段により図3の実線で示される位置と、破線で示される位置とに移動可能に設けられている。
【００２７】
つまり、実線で示される位置では原稿押圧板204はプラテンガラス101を押し付ける位置にあるため、原稿を裏面からしっかりと保持することができるが、破線で示される位置では、プラテンガラス101に対して離間しているので、原稿を保持することができない。
【００２８】
次に原稿搬送部について説明する。
【００２９】
図1に示されるように、原稿搬送部はプラテンンカバー200の中に配置されている。
【００３０】
図2は、プラテンカバー200が閉じられて時の状態における内部の状態を示す図であるが、用紙を搬送するための搬送ローラ205、206が、プラテンガラス101に当接可能な位置に配置している。
【００３１】
また、斜走ローラ207、208を、先端位置決め部材102と搬送ローラ206の間、および搬送ローラ205と206の間に、プラテンガラス101に当接可能な位置にそれぞれ配置している。
【００３２】
そして、搬送ローラ205、206、斜走ローラ207、208は、図5の実線で示される位置と、破線で示される位置とに移動可能に設けられている。
【００３３】
つまり、実線で示される位置では搬送ローラ205、206、斜走ローラ207、208はプラテンガラス101と当接し、原稿を挟持搬送するが、破線で示される位置ではプラテンガラス101に対して離間しているので、原稿を搬送することができない。
【００３４】
また、図4において、先端位置決め部材102に原稿端部が接したことを検知するための斜行検知センサ106、107、奥側位置決め部材103に原稿端部が接したことを検知するための斜行検知センサ108、109を、読み取り装置本体100のプラテンガラス101の下方に配置している。
【００３５】
つまり、斜行検知センサ106、107の両方が原稿を検知した場合、原稿は先端位置決め部材102に平行に当接しており、斜行検知センサ108、109の両方が原稿を検知した場合、原稿は奥側位置決め部材103に平行に当接していると判断される。
【００３６】
次に原稿を整合させる動作を説明する。
【００３７】
まずプラテンガラス101上で、図4に示す位置に原稿が載置され、プラテンカバー200が下方に回動する。
【００３８】
リブ203とセンサレバー105の係合により、プラテンカバー200が閉じられたことが検知されると、まず原稿押圧板204、および搬送ローラ205、206は上昇し、プラテンガラス101から退避する（図6）。
【００３９】
これに対して、斜走ローラ207、208はプラテンガラス101に当接しているので、図示しない駆動源よりローラに駆動が与えられることにより、原稿に斜め送りの動作を与える。
【００４０】
それにより、原稿は奥側位置決め板103にまず角部が突き当たり、その後プラテンガラス101面上で回転を始め、側部が奥側位置決め板103に沿うまで回転する（図7）。
【００４１】
この状態を斜行検知センサ108、109の両方が原稿端部を検知すると、そのふたつのセンサからの検知信号により、原稿の斜め送りが終了したものと判断する。
ついで、斜走ローラ207、208はプラテンガラス101上から退避し、代わりに搬送ローラ205、206がプラテンガラス101に当接する（図8）。
【００４２】
そして、図示しない駆動源より搬送ローラ205、206に駆動が与えられることにより、原稿に先端位置決め板102に向けた搬送力が付与され、原稿先端を先端位置決め板102に当接させる（図9）。
【００４３】
この状態を斜行検知センサ106、107の両方が原稿端部を検知すると、そのふたつのセンサからの検知信号により、原稿先端の整合が終了したものと判断し、ローラの駆動を中断し、搬送ローラ205、206はプラテンガラス101から退避する。
【００４４】
この後、原稿押圧板204は下降し、原稿が浮かないよう、原稿を裏面からしっかりと加圧する（図10）。
【００４５】
このように本実施例では、プラテンカバー200を閉じたとき、原稿搬送部により先端位置決め板102、および奥側位置決め板103に向かって原稿を移動、当接させるようにしたため、操作者がプラテンガラス101上の、先端位置決め板102、および奥側位置決め板103から離れた位置でありかつ斜めの状態で載置したとしても、両方の突き当て部材に原稿端部を自動で当接させることができる。
【００４６】
ここで、何らかの理由により、上記整合動作による整合作用が不十分であることも考えられるが、本実施例においては斜行検知センサを用いているため、斜行検知センサ106、107、108、109のいずれかが原稿を検知しないことにより、この状態を検知できる。
【００４７】
つまり斜走ローラ207、208、および搬送ローラ205、206の回転動作が終了しても、斜行検知センサ106、107、108、109のいずれかが原稿を検知しないとき、搬送ローラ205、206もしくは斜走ローラ207、208を通常とは逆方向に回転させ、一旦両突き当て部材から原稿端部を退避させ、その後再び上述の整合動作に入ることもできる。
【００４８】
（実施例２）
上記実施例において、搬送ローラ205、206、斜走ローラ207、208はすべて上下移動可能な構成としたが、両方のローラ表面を摩擦係数の低いものを用いることで常時加圧の構成も可能である。
【００４９】
具体的には原稿とプラテンガラス101との摩擦係数よりも高く、かつ原稿先端が突き当て部材に当接したときにローラ表面で滑りを発生し始める摩擦係数より低く設定する。
【００５０】
このように摩擦係数を設定することで、実施例1で示した搬送ローラ205、206、斜走ローラ207、208の上下移動機構を用いなくとも、簡単な構成で、原稿の送りすぎによるしわ等のダメージを防止することができる。
【００５１】
（実施例３）
図11を用いて本発明の第3の実施例を説明する。
【００５２】
実施例1と同じ構成のものについては同一符号を付してある。
【００５３】
実施例3では、実施例1と異なり、搬送ローラ回転方向を先端位置決め部材方向ではなく、奥側位置決め部材の方向にしている。
【００５４】
原稿を整合させる動作で実施例1と異なるところのみ説明する。
【００５５】
斜走ローラ257、258は実施例1同様、原稿に斜め送りの動作を与える。
【００５６】
それにより、原稿は先端位置決め板102にまず角部が突き当たり、その後プラテンガラス101面上で回転を始め、側部が奥側位置決め板103に沿うまで回転する。
【００５７】
この状態を斜行検知センサ106、107の両方が原稿端部を検知すると、そのふたつのセンサからの検知信号により、原稿の斜め送りが終了したものと判断する。
【００５８】
ついで、斜走ローラ257、258はプラテンガラス101上から退避し、代わりに搬送ローラ255、256がプラテンガラス101に当接し、原稿に奥側位置決め板103に向けた搬送力が付与され、原稿先端を奥側位置決め板103に当接させる。
【００５９】
この状態を斜行検知センサ108、109の両方が原稿端部を検知すると、そのふたつのセンサからの検知信号により、原稿先端の整合が終了したものと判断し、ローラの駆動を中断し、搬送ローラ255、256はプラテンガラス101から退避する。
【００６０】
この後、原稿押圧板204は下降し、原稿が浮かないよう、原稿を裏面からしっかりと加圧する。
【００６１】
第3の実施例においても第1の実施例同様、操作者がプラテンガラス101上の、先端位置決め板102、および奥側位置決め板103から離れた位置でありかつ斜めの状態で載置したとしても、両方の突き当て部材に原稿端部を自動で当接させることができる。
【図面の簡単な説明】
【００６２】
【図１】本発明の第1の実施例に係る読み取り装置の斜視図。
【図２】本発明の第1の実施例に係る読み取り装置の原稿搬送部の概略斜視図。
【図３】本発明の第1の実施例に係る読み取り装置の正面断面図。
【図４】本発明の第1の実施例に係る読み取り装置の平面図。
【図５】搬送ローラの移動状態を示す正面断面図。
【図６】斜走ローラによる原稿の挟持状態を示す正面断面図。
【図７】原稿の奥側整合状態を示す平面図。
【図８】搬送ローラによる原稿の挟持状態を示す正面断面図。
【図９】原稿の先端整合状態と奥側整合状態を示す平面図。
【図１０】原稿押圧板による原稿の押圧状態を示す正面断面図。
【図１１】本発明の第3の実施例に係る読み取り装置の平面図。
【符号の説明】
【００６３】
100  読み取り装置本体
101  プラテンガラス
102  先端位置決め部材
103  奥側位置決め部材
104  読み取りユニット
105  センサレバー
106、107、108、109  斜行検知センサ
200  プラテンカバー
201、202  ヒンジ
203  リブ
204  原稿押圧板
205、206、255、256  搬送ローラ
207、208、257、258  斜走ローラ
【図１】
2006349926.tif 000003
【図２】
2006349926.tif 000004
【図３】
2006349926.tif 000005
【図４】
2006349926.tif 000006
【図５】
2006349926.tif 000007
【図６】
2006349926.tif 000008
【図７】
2006349926.tif 000009
【図８】
2006349926.tif 000010
【図９】
2006349926.tif 000011
【図１０】
2006349926.tif 000012
【図１１】
2006349926.tif 000013